(57)【要約】【課題】法面の傾斜に合わせて切断した法面補強格子材に被着しても、鋭利な縦の丸棒が天端部品を突き破る心配がなく、多少の外力が加わったとしても天端部品がずれたり外れたりする心配もなく、植生マットを確実に固定することができる法面補強格子材用の天端部品及びそれを用いた盛土構造を提供する。【解決手段】縦の金属製の丸棒２０と横の金属製２１の丸棒を格子状に連結した傾斜金網部２２と水平金網部２３からなる断面が略Ｌ字型に屈曲した盛土の法面に設置される法面補強格子材２の、法面の傾斜に合わせて切断した縦の丸棒２０の天端に被着することで、該補強格子材２の裏面に添設されて、該補強格子材２の天端より表面に折り返された植生マット３を挟着する天端部品１であって、天端部１０と、天端部１０の両端から下方中心部へ折り曲げられた法面補強格子材２を挟着する挟着部１１，１１からなる構成とする。【選択図】図５
0003126838.tif 000002
【実用新案登録請求の範囲】
【請求項１】
縦の金属製の丸棒と横の金属製の丸棒を格子状に連結した傾斜金網部と水平金網部からなる断面が略Ｌ字型に屈曲した盛土の法面に設置される法面補強格子材の、法面の傾斜に合わせて切断した縦の丸棒の天端に被着することで、該補強格子材の裏面に添設されて、該補強格子材の天端より表面に折り返された植生マットを挟着する天端部品であって、
天端部と、天端部の両端から下方中心部へ折り曲げられた法面補強格子材を挟着する挟着部からなることを特徴とする法面補強格子材用の天端部品。
【請求項２】
天端部品が合成樹脂で成形されたものであって、天端部の下面に保護部が設けられていることを特徴とする請求項１に記載の法面補強格子材用の天端部品。
【請求項３】
天端部品の挟着部に、複数の開口窓が設けられていることを特徴とする請求項１又は請求項２に記載の法面補強格子材用の天端部品。
【請求項４】
法面補強格子材の水平金網部に高強度網体を取付けて、該補強格子材の裏面に植生マットを添設すると共に、該補強格子材の天端より植生マットを表面に折り返し、法面の傾斜に合わせて切断した法面補強格子材の縦の丸棒の天端に、請求項１ないし請求項３のいずれかに記載の法面補強格子材用の天端部品を被着することによって該植生マットを挟着したことを特徴とする盛土構造。
【考案の詳細な説明】
【技術分野】
【０００１】
本考案は、法面の上端部が傾斜している場合に、法面補強格子材の縦の金属製の丸棒を法面の傾斜に合わせて切断しても、鋭利な切断面が露出する縦の丸棒を被覆すると共に、法面補強格子材に添設された植生マットを挟着することができる法面補強格子材の天端部品及びそれを用いた盛土構造に関するものである。
【背景技術】
【０００２】
従来より、急勾配の法面を盛土によって造成する場合には、盛土を補強し、盛土の崩壊を防止するため、各種の盛土補強部材が用いられている。その一例として、盛土中に埋設される水平埋設片に盛土の法面に沿って配設される法面添片を略Ｌ字型に屈曲して形成した縦方向部材を、所定の間隔で複数本配列するとともに、該縦方向部材を、複数本の横方向部材により格子状に連結してなる盛土補強部材がある。
【０００３】
この盛土補強部材は、盛土の法面に沿って法面添片を配設するとともに、盛土中に水平埋設片を埋設することによって盛土を補強し、また、必要に応じて、植生を行うことにより、法面の美観を保つと共に、盛土の崩壊を防止することができる。
【０００４】
ところで、この盛土補強部材では、法面添片の上端は一定の高さに揃えられていることから、法面の上端部が傾斜している場合には、盛土補強部材の法面添片の上端を法面の傾斜に合わせて切断する必要がある。しかしながら、このように、盛土補強部材の縦方向部材の法面添片の上端を法面の上端部の傾斜に合わせて切断すると、鋭利な切断面が露出することになるので非常に危険であった。
【０００５】
このような事情から、本出願人は、断面略Ｕ字状に形成され、盛土補強部材の縦方向部材の切断面に装着して該上端を覆うとともに、横方向に配列された法面添片の上端に沿って延設するようにした盛土補強部材の金属製の天端調整部材を提供した（特許文献１）。
【０００６】
この盛土補強部材の天端調整部材は、盛土補強部材の縦方向部材の法面添片の上端を法面の傾斜に合わせて切断しても、天端調整部材で露出した鋭利な切断面を被覆するので、従来の問題を一応解決することができた。
【０００７】
上記のように、この盛土補強部材の天端調整部材は従来の問題を解決できる優れたものであったが、断面略Ｕ字状の天端調整部材を、法面補強材の縦方向部材の切断面に置くだけのものなので、外力が加わるとずれたり外れてしまうことがあった。また、近年は景観の向上や地球温暖化の防止策として、法面に植生マットを敷設し、法面を緑化させるという手法が多く用いられるようになってきているが、この天端調整部材では、上記のように断面が略Ｕ字状のものなので、植生マットを確実に固定することができないという問題もあった。
【特許文献１】特開２００２−１９４７４１号公報
【考案の開示】
【考案が解決しようとする課題】
【０００８】
本考案は上記事情に鑑みてなされたもので、法面の傾斜に合わせて切断した法面補強格子材の縦の丸棒の鋭利な切断面に被着しても、鋭利な縦の丸棒が天端部品を突き破る心配がなく、また、多少の外力が加わったとしても天端部品がずれたり外れたりする心配もなく、しかも、植生マットを確実に固定することができる法面補強格子材用の天端部品及びそれを用いた盛土構造を提供することを解決課題としている。
【課題を解決するための手段】
【０００９】
上記課題を解決するため、本考案の法面補強格子材用の天端部品は、縦の金属製の丸棒と横の金属製の丸棒を格子状に連結した傾斜金網部と水平金網部からなる断面が略Ｌ字型に屈曲した盛土の法面に設置される法面補強格子材の、法面の傾斜に合わせて切断した縦の丸棒の天端に被着することで、該補強格子材の裏面に添設されて、該補強格子材の天端より表面に折り返された植生マットを挟着する天端部品であって、天端部と、天端部の両端から下方中心部へ折り曲げられた法面補強格子材を挟着する挟着部からなることを特徴とするものである。
【００１０】
本考案の法面補強格子材用の天端部品においては、天端部品が合成樹脂で成形されたものであって、天端部の下面に保護部が設けられていることが好ましく、天端部品の挟着部に、複数の開口窓が設けられていることがより好ましい。
【００１１】
次に、本考案の盛土構造は、法面補強格子材の水平金網部に高強度網体を取付けて、該補強格子材の裏面に植生マットを添設すると共に、該補強格子材の天端より植生マットを表面に折り返し、法面の傾斜に合わせて切断した法面補強格子材の縦の丸棒の天端に、上記の法面補強格子材用の天端部品を被着することによって該植生マットを挟着したことを特徴とするものである。
【考案の効果】
【００１２】
本考案の法面補強格子材用の天端部品は、法面補強格子材を挟着する挟着部が下方中心部へ折り曲げられているので、法面補強格子材の天端に被着させるのに挟着部を拡開しても、その復元力が作用し、法面補強格子材の天端に確実に被着するので、多少の外力が加わってもずれたり外れたりする心配がない。また、この復元力を利用して植生マットを挟着すると、確実に植生マットを法面に固定することもできる。
【００１３】
特に、天端部品が合成樹脂で成形されたものであって、天端部の下面に保護部が設けられている天端部品は、従来の金属製の天端調整部材と比較すると安価に製造することができ、また、合成樹脂で成形したものなので、切断等の加工が容易で、被着させる範囲に応じた寸法調整がやり易く施工性が非常に良好である。このように天端部品を合成樹脂で製造した場合、鋭利な切断面が天端部を突き破るという危惧が残るが、天端部の下面に保護部を設けることで、その危惧は払拭されるばかりか、合成樹脂製の天端部品が軽量であることと相俟って、切断した縦の丸棒の鋭利な切断面が天端部品を突き破る心配は皆無に等しくなる。
【００１４】
また、天端部品の挟着部に、複数の開口窓が設けられている法面補強格子材用の天端部品は、開口窓の面積分だけ合成樹脂量が減るので、軽量な天端部品を製造することができ、製造コストもより低く抑えることができる。しかも、この開口窓自体が、植物の生育余地ともなるといった効果も奏する。
【００１５】
次に、上記法面補強格子材用の天端部品を用いた盛土構造は、法面補強格子材の裏面に植生マットを添設することで、表面土の崩壊を防止すると共に、数ケ月で法面を緑化して法面の景観を向上させることができる。また、法面補強格子材の水平金網部には高強度網体が連結されているので、盛土が補強され、盛土の崩壊や法面の崩落を充分に防止することができる。そして、法面補強格子材の天端には、上記のような天端部品を被着するので、天端部品が有する復元力が作用し、法面補強格子材の天端に確実に被着して植生マットを強固に挟着することができる。しかも、天端部品の下面には保護部を設けてあるので、切断した鋭利な縦の丸棒が天端部品を突き破る恐れは皆無に等しくなる。
【考案を実施するための最良の形態】
【００１６】
以下、図面を参照して本考案の具体的な実施形態を詳述する。
【００１７】
図１は本発明の一実施形態に係る法面補強格子材用の天端部品の斜視図、図２は同天端部品の側面図、図３は本発明の一実施形態に係る盛土構造の正面図、図４は同盛土構造の側面断面図、図５は図４の部分拡大断面図である。
【００１８】
本発明の天端部品１は合成樹脂製で、図３、図４に示すように、盛土の法面の傾斜に合わせて切断された法面補強格子材２の天端に被着することで、法面補強格子材２の縦の丸棒２０の鋭利な切断面を保護すると共に、植生マット３を挟着するもので、図１、図２に示すように、天端部１０と、天端部１０の両端から下方中心部へと折り曲げられた法面補強格子材２を挟着する挟着部１１，１１とからなり、天端部１０の下面には保護部１２が設けられている。
【００１９】
上記挟着部１１，１１は、図２に示すように、天端部１０の両端から下方中心部へ折り曲げて形成されたもので、互いの下端部分が接触する程度にまで折り曲げられている。このように、合成樹脂で成形された挟着部１１，１１を、互いの下端部分が接触する程度にまで折り曲げることで、法面補強格子材２の天端に被着させるために挟着部１１，１１を拡開しても、その復元力が作用して法面補強格子材２の天端に確実に被着するので、多少の外力が加わってもずれる心配がなくなる。
【００２０】
また、この挟着部１１の左右両面には、複数の方形の開口窓１１ａが規則的に設けれている。この開口窓１１ａは、図１に示すように、天端部品１の強度を維持するため、挟着部１１，１１の上部には設けられておらず、また、寸法も余り大きくすると天端部品１の強度が低下するので、一辺の長さが１ｍｍ〜５ｍｍ程度とするのが好ましい。このように、位置、寸法等を考慮して複数の開口窓１１ａを設けることで、天端部品１を軽量に製造することができると共に、合成樹脂量を軽減して製造コストを削減することもできる。しかも、この開口窓１１ａを設けると、上記のような効果に加えて、開口窓１１ａ自体が植物の生育余地にもなるといった効果も奏する。
【００２１】
一方、天端部品１を構成する保護部１２は、図２に示すように、クッション部１２ｂと、そのクッション部１２ｂの周囲を被覆する被覆部１２ａからなるもので、天端部１０下面の長さ方向の全域に亘って設けられている。前述したように本実施形態の天端部品１は合成樹脂製であり、この保護部１２を設けなければ法面補強格子材２の鋭利な切断面が天端部１０を突き破る可能性があるが、このように天端部１０の下面に保護部１２を設けることで、その危惧は払拭されるばかりか、天端部品１が軽量であることと相俟って、切断した縦の丸棒２０が天端部１０を突き破る心配は皆無に等しくなる。
【００２２】
上記の天端部品１は押出成形で製造されるもので、天端部１０及び挟着部１１が高密度ポリエチレンで成形されたものが好適に使用され、保護部１２のクッション部１２ｂがポリプロピレン、被覆部１２ａがエチレン・酢酸ビニル共重合樹脂で成形されたものが好適に使用される。また、寸法は特に限定されないが、種々の法面の大きさに対応させるため、長さが１０００〜１０２０ｍｍ程度、高さが４５〜５５ｍｍ程度、天端部１０の幅が１３〜１７ｍｍ程度の天端部品１が多くの施工現場で使用されている。
【００２３】
以上のような構成の法面補強格子材２用の天端部品１は、挟着部１１，１１の復元力を利用して天端部品１を挟着することが不可欠な要件となり、綱板やステンレス板等で成形することも可能であるが、本実施形態のように、弾力性を有する高密度ポリエチレンなどの合成樹脂で成形することがより好ましい。このように天端部品１を合成樹脂で成形すると、金属製のものと比較すると軽量且つ安価に製造することができ、また、切断等の加工が容易なため、被着させる範囲に応じた施工現場での寸法調整が簡単で施工性が良好である。
尚、本発明の天端部品１を綱板やステンレス板等で成形する場合、図６、図７に示すように、製造工程の問題等でこの天端部品１Ａに前述した開口窓１１ａを設けないことが多くなるが、勿論、開口窓１１ａを設けてもよいことは言うまでもない。また、このように、天端部品１Ａを綱板やステンレス板等で成形すると、前述した天端部品１に比べて高価で重くなるが、強度は前述した合成樹脂製の天端部品１よりも向上するので、図７に示すように、保護部１２にはクッション部１２ｂを設ける必要がなくなり、場合によっては、保護部１２自体を設けないことも可能となる。
【００２４】
次に、以上のような構成の天端部品１を用いた盛土構造を説明する。
【００２５】
まず、法面補強格子材２を敷設する基面を平坦にならし、重機等で十分に締固めを行った後、法面補強格子材２を設置する。
【００２６】
この法面補強格子材２は、金属製の縦の丸棒２０と金属製の横の丸棒２１を格子状に溶接して連結した溶接金網をその中間部で略Ｌ字型に曲げ加工して、盛土の法面の傾斜角に略等しい角度で傾斜する傾斜金網部２２と水平金網部２３を一体に形成したものであって、その寸法は特に限定されないが、傾斜金網部２２の縦寸法を５０〜８０ｃｍ程度、横寸法を１００〜３００ｃｍ程度、水平金網部２３の奥行寸法を３０〜６０ｃｍ程度に形成したものが運搬等に優れるため、好適に使用される。
【００２７】
次に、法面の傾斜に合わせて法面補強格子材２の縦の丸棒２０を切断する。この法面補強格子材２は、大型のクリッパーやディスクサンダー等で切断することができる。そして、法面補強格子材２の水平金網部２３と傾斜金網部２２の裏面に植生マット３を添設し、法面補強格子材２の天端より余った植生マット３を傾斜金網部２２の表面側に折り返す。
【００２８】
上記植生マット３は、コーン類、芋類、米麦類などに含まれるデンプンと、バインダーとしての熱可塑性樹脂（例えばポリエチレン、ポリプロピレンなど）、脂肪族ポリエステル樹脂（例えばポリヒドロキシブチレート、ポリカプロラクトン、ポリエチレンアジペート、ポリテトラメチレンアジペート、ポリシクロヘキシレンジメチルアジペート、これらの誘導体、又はこれらと他の樹脂の共重合体など）、ポリグリコール酸、ポリ乳酸、ポリラクトン（例えばプロピオラクトン、カプロラクトンなど）、ポリビニルアルコールなどを成分とする生分解性樹脂を用いてこれを紡糸した、７０〜９８％程度の空隙率を有する厚さ０．３〜３ｍｍ程度の生分解性樹脂繊維の不織布、織布、マット等の片面に、窒素、隣、カリウム等の三大肥料や、亜鉛、鉄その他の微量養分などが適当に配合された糊で種子を付着させ、この種子付着面に、植物繊維や再生繊維のマット、紙、布などの腐食性素材からなる保水性培養層を積層一体化した二層構造のマットが好適に使用される。
【００２９】
このような植生マット３を法面補強格子材２の裏面に添設すると、表面土の崩壊と種子の流出を防止すると同時に、バランスのよい種子の固定、そして発芽を可能にし、発芽した植物が充分成長する環境を提供し、数ケ月で法面を緑化する。従って、この植生マットは、従来の植生ネットのようにプラスチック公害を招いて地球環境を悪化させる恐れは全くない。また、植物が充分成長した後も法面や壁面の地盤が充分安定するまで、その崩壊を未然に防ぐ顕著な効果があり、しかも、崩壊を防止すべき法面や壁面の状態に応じた強度の設計を可能にし得る。
【００３０】
次に、上記の法面補強格子材２の水平金網部２３に、所定の長さに切断した高強度網体４を連結させる。本実施形態では、この高強度網体４として合成樹脂ネットを使用しており、法面補強格子材２と合成樹脂ネット４の連結はどのような方法で連結してもよいが、例えば図４に示すように、法面補強格子材２の水平金網部２３の縦の丸棒２０と横の丸棒２１の連結部分に予め螺旋状の連結金具６を嵌め込み、水平金網部２３から下方へ出っ張った連結金具６の空間部分に金属棒７などを差し込んでおいて、水平金網部２３から上方へ出っ張った連結金具６に、合成樹脂ネット４の網目部分を嵌め込んで、合成樹脂ネット４から上方へ出っ張った連結金具６の空間部分に金属棒８などを差し込むと、簡単且つ強固に法面補強格子材２と合成樹脂ネット４を連結させることができる。このとき合成樹脂ネット４を、法面に対して弛みがないように敷設することが重要で、合成樹脂ネット４を敷設した後、固定ピン５で仮止めする。
【００３１】
この法面補強格子材２の水平金網部２３に取り付けられる合成樹脂ネット４として、テープ状の縦糸及び横糸を互いに交差させ、各交点部分を加熱溶着、高周波溶着、超音波溶着などの手段で固着した方形網目を有するネットが好適に使用され、特に、ポリプロピレンテープや超高分子量ポリエチレンテープを縦糸及び横糸とする高強度のネット、或いは、これらのテープを芯材としてその周囲又は上下両面に溶着性の良好な熱可塑性樹脂を押出被覆又は積層一体化した被覆テープを縦糸及び横糸とする高強度のネットなどが好ましい。
【００３２】
このように法面補強格子材２に合成樹脂ネット４を連結すると、盛土が補強され、盛土の崩壊や法面の崩落を充分に防止することができる。
【００３３】
法面補強格子材２と合成樹脂ネット４の連結が終わると、次に、法面補強格子材２の天端、即ち切断した縦の丸棒２０の切断面に、前述した天端部品１を被着する。
【００３４】
天端部品１を法面補強格子材２の天端に被着させるには、図５に示すように、天端部品１の挟着部１１，１１の下端を左右にそれぞれ拡開し、保護部１２を法面補強格子材２の縦の丸棒２０の切断面に当接させて被着する。本考案の天端部品１は合成樹脂で成形されたものなので、挟着部１１，１１を拡開してもその復元力が作用し、法面補強格子材２の天端に確実に被着して植生マット３を強固に挟着するので、多少の外力が加わってもずれる心配がない。しかも、天端部１０の下面には保護部１２を設けてあるので、切断した縦の丸棒２０が天端部品１を突き破る心配は皆無に等しい。
【００３５】
法面補強格子材２の天端に天端部品１を被着した後、天端部品１が外れたり位置ずれしたりするのをより確実に防止するため、法面補強格子材２の開口窓１１ａと法面補強格子材２の縦の丸棒２０と横の丸棒２１の連結部分を、結束線（不図示）等で固定する。このように、天端部品１と法面補強格子材２を結束線等で固定すると、外れたり位置ずれなどの心配は皆無に等しくなる。
【００３６】
上記のように天端部品１を法面補強格子材２の天端に被着させて植生マット３を強固に挟着すると、図４に示すように、挟着傾斜金網部２２の表面側に余った植生マット３を、天端部品１に添設させながら折り返し、天端部品１上端まで盛土を行い、十分締固めをして施工が完了する。
【００３７】
以上の説明から明らかなように、本考案の天端部品１を用いた盛土構造は、法面補強格子材２の裏面には植生マット３が添設されると共に、水平金網部２３には合成樹脂ネット４が連結されているので、盛土が補強され、表面土の崩壊と法面の崩落を充分に防止すると同時に、数ケ月で法面を緑化することができる。そして、法面補強格子材２の天端には合成樹脂で成形した安価な天端部品１を被着してあるので、合成樹脂が有する復元力を利用して、法面補強格子材２の天端に確実に被着して植生マット３を強固に挟着し、ずれたり外れたりする心配がない。しかも、天端部１０の下面には保護部１２を設けてあるので、従来の天端調整部材のように、切断した鋭利な縦の丸棒２０が天端部品１を突き破る恐れは皆無に等しい、といった顕著な効果を奏する。
【図面の簡単な説明】
【００３８】
【図１】本発明の一実施形態に係る法面補強格子材用の天端部品の斜視図である。
【図２】同天端部品の側面図である。
【図３】本発明の一実施形態に係る盛土構造の正面図である。
【図４】同盛土構造の側面断面図である。
【図５】図４の部分拡大断面図である。
【図６】本発明の他の実施形態に係る法面補強格子材用の天端部品の斜視図である。
【図７】同天端部品の側面図である。
【符号の説明】
【００３９】
１  天端部品
１Ａ  天端部品
１０  天端部
１１  挟着部
１１ａ  開口窓
１２  保護部
２    法面補強格子材
２０  縦の丸棒
２１  横の丸棒
２２  傾斜金網部
２３  水平金網部
３    植生マット
４    高強度網体（合成樹脂ネット）
【図１】
0003126838.tif 000003
【図２】
0003126838.tif 000004
【図３】
0003126838.tif 000005
【図４】
0003126838.tif 000006
【図５】
0003126838.tif 000007
【図６】
0003126838.tif 000008
【図７】
0003126838.tif 000009